(57)【特許請求の範囲】
【請求項１】
無線装置(FG)において、
a)モービル無線システムを介してコミュニケーションするための手段(MMI,VE,STE,SPE,SVE,HF,ANT)と、
b)種々のパフォーマンスフィーチュア(Leistungsmerkmale)(LM)乃至サービス(D)の実行乃至利用のための手段(MMI,VE,STE,SPE,SVE,HF,ANT)と、
c)モービル無線システム(MS)、及び、当該モービル無線システムによってサポートされたパフォーマンスフィーチュア(LM)乃至サービス(D)についての情報を記憶する手段(SPE)と、
d)無線装置(FG)が目下登録されている(eingebucht)前記モービル無線システム(MS)についての、前記情報を記憶する手段（ＳＰＥ）内に記憶されている情報に依存して、及び、前記モービル無線システム(MS)についての情報及び当該モービル無線システム(MS)によってサポートされた前記パフォーマンスフィーチュア(LM)乃至サービス(D)に依存して、前記情報を記憶する手段（ＳＰＥ）内に記憶されている当該パフォーマンスフィーチュア(LM)乃至サービス(D)の少なくとも一部分を自動的に選択して遮断するための手段(STE)と
を有することを特徴とする無線装置。
【請求項２】
情報は、少なくとも、モービル無線システムの一部分を介して伝送され、無線装置内に自動的に記憶することができる請求項１記載の無線装置。
【請求項３】
情報は、無線装置をモービル無線システム内に登録した後に自動的にアップデートされる請求項１又は２記載の無線装置。
【請求項４】
情報は、操作装置(MMI)又はインターフェース(SS)を介してアップデートされる請求項１から３迄の何れか１記載の無線装置。
【請求項５】
場合によって発生する機能障害時に、自動的に、無線装置の基本機能にとって不要な全てのパフォーマンスフィーチュア乃至サービスが遮断される請求項１から４迄の何れか１記載の無線装置。
【請求項６】
種々のモービル無線システムを介してコミュニケーションするための手段を有しており、その際、前記コミュニケーションは、種々の伝送標準により行われる請求項１から５迄の何れか１記載の無線装置。
【発明の詳細な説明】
【０００１】
本発明は、種々のパフォーマンスフィーチュア(Leistungsmerkmale)(feature of performance)を提供し、乃至、種々異なるサービス（コミュニケーションサービス）を利用することができる無線装置、殊にモービル無線装置、及び、その種の無線装置を有するコミュニケーション用の基地局システムに関する。
【０００２】
最新のモービル無線システム及び当該モービル無線システムを介して使用される無線システムにより、ユーザに提供されるパフォーマンスフィーチュア乃至サービスの数は益々増えている。その際、当業者には、多数の種々のサービス乃至パフォーマンスフィーチュアが公知であり、例えば、通話コネクション、データコネクション、短縮情報の伝送、被呼加入者の呼び出し番号の表示、呼の迂回(Anrufumlenkung)、呼の転送(Anrufweitergabe)、ノック(Anklopfen)、料金表示、メールボックス、又は、例えば、種々の質の通話コネクション用の種々の符号化方式、又は、一般的に、種々の伝送標準を介してのコミュニケーションが公知である。
【０００３】
世界中に、異なった伝送標準に基づく、沢山の種々のモービル無線ネットワークがある。その際、GSM(global system for mobile communication)システムで作動するモービル無線ネットワークが広く普及している。全世界的規模のGSMサービスエリアは、幾つかの小さなPLMN(public land mobile network)サービスエリアによってカバーされている。その際、PLMNサービスエリアは、オペレータによって操作されている。国内の２つ以上のPLMNサービスエリアが重なり合っていることがある。各PLMNサービスエリアは、識別符号、例えば、モービルネットワークコードMNCによって一義的に識別可能である。
【０００４】
PLMNサービスエリア内では、GSM標準及び当該標準内に含まれるサービス乃至パフォーマンスフィーチュア及び場合によっては当該標準内に含まれないサービス乃至パフォーマンスフィーチュアが一体的に実行されて、利用できる状態にされている。
【０００５】
種々のPLMNサービスエリアは一体的な伝送標準に基づいているにも拘わらず、種々の製造業者、ネットワーク事業者、又は、モービル無線ネットワークの業務開始時点によって、種々のPLMNサービスエリアに依存して、パフォーマンスフィーチュアが実行又はプリパレートされる。
【０００６】
種々のPLMNサービスエリアのネットワーク事業者間の国際的なローミング協定によって、必要な場合、例えば、外国滞在時に、無線装置を用いて、通常利用しているPLMNサービスエリアとは異なったPLMNサービスエリア内でコミュニケーションすることができる。その際、上述のPLMNサービスエリアに依存してサービス乃至パフォーマンスフィーチュアを実行乃至プリパレートすることによって、無線装置がサービス特有の、乃至、パフォーマンスフィーチュア特有の機能障害を来すことがある。この問題は、種々の伝送標準を介してコミュニケーションすることができる将来の無線装置、所謂マルチモード無線装置の場合、更に悪化することがある。
【０００７】
以下、PLMNサービスエリアはモービル無線システムと呼ぶ。一般的に、この出願の範囲内では、概念「モービル無線システム」とは、実質的に、サービス及びパフォーマンスフィーチュアを、モービル無線システムに配属された１つ又は複数の識別符号によって一義的に識別可能であって、一般的にネットワーク事業者によって運営されているモービル無線システムのこととする。
【０００８】
本発明の課題は、無線装置を用いて種々のモービル無線システム内で障害なくコミュニケートすることができる無線装置及び基地局システムを提供することである。
【０００９】
本発明によると、この課題は、独立請求項記載の要件により解決される。実施例は、従属請求項に記載されている。
【００１０】
本発明の基礎とする技術思想は、無線装置によってサポートされたパフォーマンスフィーチュア乃至サービスの一部分を自動的に遮断し、この一部分が、無線装置が登録されているモービル無線システムによって、障害がないように、サポートされないという点にある。
【００１１】
本発明の実施例では、モービル無線システムについての記憶された情報及びこの情報によってほぼ障害がないようにサポートされたパフォーマンスフィーチュア乃至サービス、及び、無線装置が目下登録されているモービル無線システムに依存して、少なくともパフォーマンスフィーチュア乃至サービスの一部分が選択的に遮断されるように構成されている。
【００１２】
そうすることによって、所定のパフォーマンスフィーチュア乃至サービスがサポートされていないモービル無線システム内で、このパフォーマンスフィーチュア乃至サービスが自動的に遮断され、そうすることによって、無線装置を障害なく作動することができるようになる。
【００１３】
本発明の実施例では、モービル無線システムに関する情報、及び、これによりサポートされたパフォーマンスフィーチュア乃至サービスが、モービル無線システムを介して無線装置に伝送され、自動的に記憶されるように構成されている。
【００１４】
サポートされたパフォーマンスフィーチュア乃至サービスの変化の際、相応の情報を簡単にアップデートすることができる。
【００１５】
本発明の他の実施例では、場合によって発生する無線障害の場合に、自動的に、無線装置の基本機能にとって不必要なパフォーマンスフィーチュア乃至サービスを遮断するようにされる。
【００１６】
本発明を将来のマルチモード無線装置に用いることによって、殊に、例えば、既存のGSMモービル無線ネットワーク内で、ワイドバンドCDMAモービル無線ネットワークとなるように構成された伝送期間中、種々のモービル無線システムが種々のパフォーマンスフィーチュア乃至サービス又は伝送方式、例えば、FDD(Time Division Duplex)又はTDD(Time Division Duplex)モードをサポートするにも拘わらず、無線装置を障害なく作動させることができる。
【００１７】
以下、本発明について図示の実施例を用いて詳細に説明する。その際：
図１は、無線装置の略図、
図２は、メモリ手段の略図、
図３は、モービル無線システムのブロック図
を示す。
【００１８】
図１には、モービル無線システムの種々のパフォーマンスフィーチュア乃至サービスの利用のための無線装置ＦＧが示されており、この無線装置ＦＧは、操作ユニットＭＭＩ、制御装置ＳＴＥ、及び、処理装置ＶＥ、電流給電装置ＳＶＥ、加入者識別モジュールＳＩＭ、データ伝送及び電流給電用のインターフェースＳＳ、高周波部ＨＦから構成されており、高周波部は、受信装置ＥＥ、送信装置ＳＥ及び周波数シンセサイザーＳＹＮ、及び、アンテナ装置ＡＮＴから構成されている。無線装置の個別要素は、導体路、線、ケーブル又はバスシステムを介して相互に接続されている。
【００１９】
制御装置ＳＴＥは、実質的に、ソフトウェア制御されるマイクロコントローラＭＣ及びデジタル信号プロセッサＤＳＰからなる処理装置ＶＥから構成されており、その際、マイクロコントローラＭＣ及びデジタル信号プロセッサＤＳＰは、メモリモジュールＳＰＥにアクセスして書き込み、読み出しすることができる。マイクロコントローラは、全ての主要な要素、機能、パフォーマンスフィーチュア及び機能装置ＦＧのサービスを制御及びコントロールし、実質的にコミュニケーション及び信号形成過程を制御する。
【００２０】
アナログ−デジタル変換器によって、アナログオーディオ信号及び高周波成分ＨＦに基因するアナログ信号がデジタル信号に変換され、デジタル信号プロセッサによって処理される。処理後、デジタル信号がデジタル／アナログ変換器によって再度アナログオーディオ信号及び高周波成分ＨＦに供給されるべきアナログ信号に変換される。そのために、場合によっては、変調乃至復調が実行される。
【００２１】
揮発性又は非揮発性メモリモジュールＳＰＥ内には、コミュニケーション経過、シグナリングプロシージャ、パフォーマンスフィーチュア及びサービスの機能装置ＦＧの制御に必要なプログラムデータ、装置情報、ユーザによって入力された情報及び信号処理中形成される情報が記憶されている。
【００２２】
更に、無線装置ＦＧは、加入者識別モジュールＳＩＭ用の差込スロット、又は、固定的に組み込まれた相応の可能な要素を介して、加入者又はネットワーク特有の情報の記憶のために利用する。
【００２３】
図２に示されているメモリモジュールＳＰＥには、種々のモービル無線システムＭＳ乃至相応の識別符号についての情報及び当該メモリモジュールＳＰＥによってサポートされるパフォーマンスフィーチュアＬＭ乃至サービスＤが記憶されている。この情報は、表の形式で機能装置のメモリモジュールＳＰＥ内、又は、加入者識別モジュールＳＩＭに記憶するとよい。
【００２４】
通常のように、ドイツ国内でモービル無線システムを介して、例えば、D１-Netz MS１にコミュニケーションするユーザが、他の国内に旅行した場合、無線装置ＦＧには、相応のHand-Over及び滞在地域アクチュエーティングプロシージャにより、又は、無線装置を他のネットワーク事業者のモービル無線システムＭＳ３内に、新規のモービル無線システムＭＳ３を介して登録(Einbuchen)した後、その新規モービル無線システム特有の識別符号、例えば、モービルネットワークコードMNC又はロケーションエリアアイデンティティＬＡＩが伝送されて、それらの情報が場合によっては記憶される。
【００２５】
それに基づいて、無線装置の制御装置ＳＴＥは、メモリ手段ＳＰＥから、どのパフォーマンスフィーチュアＬＭ１，ＬＭ２乃至サービスＤ２が、このモービル無線システムＭＳ３によってサポートされていないのかについての情報を読み出し、相応のパフォーマンスフィーチュアＬＭ１，ＬＭ２乃至サービスＤ２を遮断し、後続のシグナリングプロシージャ、例えば、コネクションの形成時に、このパフォーマンスフィーチュアＬＭ１，ＬＭ２乃至サービスＤ２の遮断を考慮する。ユーザがモービル無線システムＭＳ３内に滞在している限り、このユーザは、パフォーマンスフィーチュアＬＭ１，ＬＭ２乃至サービスＤ２を利用できない。
【００２６】
絶えず、新規のモービル無線システムが形成されていて、既存のモービル無線システムが更に形成されており、従って、ユーザは、時間の経過に連れて、種々のモービル無線システムＭＳ内で、付加的なパフォーマンスフィーチュアＬＭ乃至サービスＤ、又は、既存のパフォーマンスフィーチュア乃至サービスの他の技術を実行することができるので、この情報を有利に時間毎にアップデートすることができる。その際、本発明の以下の構成が可能である：
・情報のアクチュエーティング乃至アップデート、即ち、図２に示した表の新規な記憶は、情報の新規な記憶と同様に、無線装置ＦＧのインターフェースＳＳを介して行うことができる。これは、例えば、メーカ又はネットワーク事業者のパーソナルコンピュータを用いて行うことができる。無線装置ＦＧの操作ユニットＭＭＩを介して情報をアップデートすることもできる。
【００２７】
・情報は、少なくとも、モービル無線システムの一部分を介して、例えば、ユーザが通常利用しているモービル無線システムを介して、無線装置ＦＧに伝送することができ、その無線装置ＦＧに自動的に記憶することができる。そのために、有効又はシグナリングチャネルを利用してもよい。この情報は、規則的又は不規則的な間隔で放送情報の意味で伝送してもよい。変形実施例では、無線装置ＦＧの滞在地領域が変わると常に、この情報が伝送される。滞在地領域又はネットワーク事業者乃至モービル無線システムの識別符号が変わった、乃至、滞在地領域アクチュエーティングプロシージャ（ロケーションアップデートプロシージャ）が実行された場合、情報をアクチュエート乃至アップデートすることができる。無線装置ＦＧがモービル無線システム内に登録されている場合にアップデートしてもよい。
【００２８】
本発明の他の変形実施例では、無線装置ＦＧで、場合によって無線障害が発生した場合、無線装置の基本機能にとって必要でないパフォーマンスフィーチュア乃至サービスを全て自動的に遮断するようにしてもよい。その際、基本機能とは、ローブストな音声コーディングの簡単な通話コネクションと理解してもよい。他の有利な基本機能も、当業者には容易に定義することができる。
【００２９】
図３に図示されたモービル無線システムは、その構造が公知の、多数のモービル交換機MSCから構成された、相互にネットワーク化された、乃至、固定ネットワークPSTNへのアクセス部を形成するGSMモービル無線システムに相応している。更に、このモービル交換機MSCは、各々少なくとも１つの基地局コントローラBSCと接続されている。各基地局コントローラBSCにより、少なくとも１つの基地局BSとなるようにすることができる。そのような基地局BSは、無線インターフェースを介して無線装置FGとの無線接続を形成することができる無線局である。基地局BSの信号の到達距離は、実質的に無線セルFZを定める。資源の配分(例えば、周波数帯域の各無線セルへの配分、従って、伝送すべきデータシーケンスへの配分)は、例えば、基地局コントローラBSCのような制御装置によって制御することができる。基地局BS及び基地局コントローラBSCは、基地局システムBSSとなるように統合することができる。
【００３０】
その際、基地局BSSは、無線チャネル管理、データレートマッチング、無線伝送区間の監視、ハンドオーバープロシージャ及びコネクション制御及びモビリティ監視に権限を有していてもよく、そのために必要な、無線装置FGへの情報を伝送する。基地局システムBSSは、モービル無線システムを介して情報を伝送し、記憶された情報のアクチュエートのために、このモービル無線システムによってサポートされたサービス乃至パフォーマンスフィーチュアの権限を有するようにしてもよい。この伝送は、シグナリングチャネル又はトラフィックチャネルを介して行なってもよい。
【００３１】
以下、本発明についてGSMシステムでの音声コーディングの実施例を用いて詳細に説明する。
【００３２】
GSMモービル無線システムでは、もともと用いられていたフルレート(FR)音声コーデックに対するオプションとして、ハーフレート（ＨＲ）音声コーデックが定義され、つまり、このハーフレート（ＨＲ）音声コーデックにより、１／２データレートでハーフレートトラフィックチャネルを介して伝送することができ、従って、基地局BSを介して並列に送られる通話の数を２倍にすることができる。
【００３３】
モービル無線システムＭＳ及び無線装置ＦＧの数が増えると、このパフォーマンスフィーチュアＬＭのデュアルレートサポートを援用し、これにより、音声を、任意にフルレート(FR)音声コーデック又はハーフレート(HR)音声コーデックを用いて圧縮することができる。
【００３４】
何れにせよ、少なくとも移行期間中、デュアルレートサポート無線装置FGはフルレートサポートオンリーモービル無線システム内に登録されており、この無線システムは、このパフォーマンスフィーチュアＬＭのデュアルレートサポートを援用せず、更に、このパフォーマンスフィーチュアＬＭのデュアルレートサポートを援用しない情報は、無線装置に伝送されないか、又は、高い信頼度で伝送されない。
【００３５】
この場合には、モービル無線システムでの従来技術の無線装置は、当該モービル無線システムによってサポートされた音声コーデックについての情報をモービル無線システム（デュアルレートサポート無線装置)に伝送する。このパフォーマンスフィーチュア(フルレートサポート及び／又はデュアルレートサポート)をモービル無線システム内で特殊な形式で実行するか、又は、実行エラーすると、モービル無線システムは、この情報に適切なやり方で応答できないようになることがあり、その際、ハーフレートコネクションが利用されるか、又は、フルレート音声コーデックを用いるのに適切な制御情報が伝送される。つまり、従来技術の無線装置を用いた場合、障害が生じることがあり、その結果、例えば、無線装置が全くモービル無線システムと接続することができなくなることがある。
【００３６】
本発明の無線装置の構成を、そのようなモービル無線システムMS内に登録した後、相応の情報(モービル無線システムMSは、デュアルレートサポートを援用しない)は、無線装置FGの制御装置STEによってメモリモジュールSPEから読み出される。無線装置FGのデュアルレート音声コーデックパフォーマンスフィーチュアは、装置内で遮断され、無線装置は、フルレートサポートオンリー無線装置としてモービル無線システムに報知される。つまり、障害を回避することができ、コネクションを構成することができる。
【００３７】
このパフォーマンスフィーチュア遮断は、同様にエンハンスドフルレートコーデックに用いることができる。
【００３８】
例えば、既存のGSMモービル無線網又は将来のワイドバンドCDMAモービル無線網又はFDD(タイムディビジョンデュプレックス)又はTDD(タイムディビジョンデュプレックス)システムを介してコミュニケーションすることができるマルチモード無線装置FGの場合、メモリモジュールSPE内には、例えば、情報が種々のモービル無線システム及びこのモービル無線システムによってサポートされた伝送標準乃至伝送方式についての情報が記憶されており、場合によっては、マルチモード無線装置FGは、上述の実施例と同様に、特定の伝送標準乃至伝送方式又は伝送システムの場合に遮断される。
【図面の簡単な説明】
【図１】  無線装置の略図
【図２】  メモリ手段の略図
【図３】  モービル無線システムのブロック図
【図１】
0004283996.tif 000002
【図２】
0004283996.tif 000003
【図３】
0004283996.tif 000004